(57)【要約】  【課題】  高い発光効率を維持しながら、ユーザの眼の負担を軽減可能なＰＤＰ装置を提供する。      【解決手段】  ＰＤＰ装置１では、パネル部１０における放電空間にＸｅを含む放電ガスが全圧ＰＡＬ（ｋＰａ）で充填されており、全圧に対するＸｅ分圧比ＲＸＥが２０（％）以上である。  ＰＤＰ装置１の表示駆動部は、フィルタ７０における可視光透過率をＴ（％）とするとき、  Ｔ×（（（１７８×ＰＡＬ−２５７５）×ＲＸＥ＋３００）／２３０４）×ＮＤＭＡＸ≦５００の関係を満足する値ＮＤＭＡＸを１ＴＶフィールドにおける維持放電の合計回数の最大値として、パネル部１０の表示駆動を行う。  従って、ＰＤＰ装置１では、セット輝度Ｂ１が最大でも５００（ｃｄ／ｍ２）に制限されることになる。  【選択図】  図７
2007079273.tif 000002
【特許請求の範囲】
【請求項１】
対をなす第１電極と第２電極とを有する第１パネルと、当該第１パネルに対して放電空間を挟んで対向配置される第２パネルとを有し、前記放電空間にＸｅを含む放電ガスが封入されてなるパネル部と、前記パネル部に対し、前記第１パネル側に対峙して配されるフィルタと、１ＴＶフィールドを各々に輝度重み付けされた複数のサブフィールドに分割し、入力される映像信号に基づいて選択されるサブフィールドごとに、その輝度重みに基づく回数の維持放電を前記第１電極と第２電極との間に生じさせる表示駆動部とを備えるプラズマディスプレイパネル装置であって、
前記放電ガスにおいて、その全圧に対するＸｅの分圧比ＲＸＥは、２０（％）以上であり、
前記フィルタにおける可視光の透過率をＴ（％）とし、前記放電ガスの全圧をＰＡＬ（ｋＰａ）とするとき、
前記表示駆動部が行う前記パネル部の表示駆動において、１ＴＶフィールドにおける前記維持放電の合計回数の最大値ＮＤＭＡＸは、
Ｔ×（（（１７８×ＰＡＬ−２５７５）×ＲＸＥ＋３００）／２３０４）×ＮＤＭＡＸ≦５００
の関係を満足するプラズマディスプレイパネル装置。
【請求項２】
前記表示駆動部が行う前記パネル部の表示駆動において、輝度が最大となる映像信号の入力を受けたとき、１ＴＶフィールドにおける前記維持放電の合計回数の最小値は、５１２回である請求項１に記載のプラズマディスプレイパネル装置。
【請求項３】
前記Ｘｅは、前記放電ガス中で最も大きな比率を占めて含まれている請求項１または２に記載のプラズマディスプレイパネル装置。
【請求項４】
前記放電ガスの全圧ＰＡＬは、１３．３（ｋＰａ）以上３９．９（ｋＰａ）以下の範囲に設定されている請求項１から３の何れかに記載のプラズマディスプレイパネル装置。
【請求項５】
前記フィルタの透過率Ｔは、２５（％）以上４５（％）以下の範囲内にある請求項１から４の何れかに記載のプラズマディスプレイパネル装置。
【請求項６】
前記表示駆動部は、時間・空間軸上で誤差拡散処理およびディザ処理の少なくとも一方の処理を実行することで階調補償する請求項１から５の何れかに記載のプラズマディスプレイパネル装置。
【発明の詳細な説明】
【技術分野】
【０００１】
本発明は、プラズマディスプレイパネル装置に関する。
【背景技術】
【０００２】
現在、平面表示装置としてプラズマディスプレイパネル装置（以下では、「ＰＤＰ装置」と記載する。）が広く普及してきている。ＰＤＰ装置は、画像を表示するパネル部に、これを表示駆動する表示駆動部が接続された状態でカバー内に収納された構成を有する。カバーにおけるパネル部の前面パネルに対向する部分には、開口部が設けられており、この部分に外光反射の抑制や明所コントラストの確保のための手段としてフィルタが設けられている。
【０００３】
ＰＤＰ装置のパネル部は、前面パネルと背面パネルとが、互いの間に間隙（放電空間）をあけて対向配置された構成となっている。この内、前面パネルは、ガラス等からなる基板の一方の主面上に、表示電極対が複数形成され、これを覆う状態に誘電体層および保護層が形成された構成を有する。一方、背面パネルは、同じくガラス等からなる基板の一方の主面上に、複数のデータ電極がストライプ状に形成され、これを覆う状態に誘電体層が形成されている。そして、誘電体層の上には、隣り合うデータ電極間に相当する位置に隔壁がそれぞれ列設され、隔壁の側壁および誘電体層の表面には、蛍光体層が形成されている。
【０００４】
パネル部における放電空間には、キセノン（Ｘｅ）を含む放電ガスが充填されている。
ＰＤＰ装置では、表示駆動部が、入力される映像信号の各ＴＶフィールドを各々に輝度重み付けされた複数のサブフィールドに分割する、所謂、サブフィールド法（フィールド内時分割階調表示方式）を用いてパネル部を表示駆動する。ＰＤＰ装置の駆動におけるサブフィールド法は、１ＴＶフィールドを重み付けされた複数のサブフィールドに時分割し、各サブフィールドの点灯／非点灯の制御を実行することで階調表示を行うものである。サブフィールドごとの重み付けは、維持期間における表示電極間での維持放電回数によって規定される。例えば、従来のＰＤＰ装置では、１ＴＶフィールドあたり、最大で２０００回以上もの維持放電を発生させている。
【０００５】
ところで、最近では、ＰＤＰ装置における発光効率の向上を図るべく、放電空間に充填されている放電ガス中のＸｅの比率を高くする試みがなされている（例えば、特許文献１）。
【特許文献１】特開平１０−１２５２３７号公報
【発明の開示】
【発明が解決しようとする課題】
【０００６】
しかしながら、放電ガスにおけるＸｅの分圧比を高めていった場合には、放電１回あたりの輝度が高くなり、最大輝度が高くなってしまう。このため、ＰＤＰ装置の最大輝度が高くなりすぎ、ユーザの眼の疲れを招き、場合によっては、光感受性反応による発作（光過敏性てんかん発作）を招くこともある。特に、放電ガスの全圧に対するＸｅ分圧比を２０（％）以上とした場合には、この傾向が顕著になると考えられる。
【０００７】
輝度の低下という観点からは、パネル部とユーザとの間に配設されているフィルタの透過率を低減すればよいことになるが、ＰＤＰ装置全体としての発光効率の低下を招いてしまうので、このような方策を実際に採用することは困難である。
本発明は、上記問題を解決しようとなされたものであって、高い発光効率を維持しながら、ユーザの眼への負担を軽減可能なＰＤＰ装置を提供することを目的とする。
【課題を解決するための手段】
【０００８】
上記目的を達成するために、本発明は、対をなす第１電極と第２電極とを有する第１パネルと、当該第１パネルに対して放電空間を挟んで対向配置される第２パネルとを有し、放電空間にＸｅを含む放電ガスが封入されてなるパネル部と、パネル部に対し、第１パネル側に対峙して配されるフィルタと、１ＴＶフィールドを各々に輝度重み付けされた複数のサブフィールドに分割し、入力される映像信号に基づいて選択されるサブフィールドごとに、その輝度重みに基づく回数の維持放電を第１電極と第２電極との間に生じさせる表示駆動部とを備えるＰＤＰ装置であって、放電ガスにおいて、その全圧に対するＸｅの分圧比ＲＸＥは、２０（％）以上に設定されており、表示駆動部は、１ＴＶフィールドにおける維持放電の合計回数の最大を値ＮＤＭＡＸとしてパネル部の表示駆動を実行する。そして、本発明に係るＰＤＰ装置では、フィルタにおける可視光の透過率をＴ（％）とし、放電ガスの全圧をＰＡＬ（ｋＰａ）とするとき、上記維持放電の合計回数の最大値ＮＤＭＡＸが、次式を満足するように設定されている。
【０００９】
［数１]
Ｔ×（（（１７８×ＰＡＬ−２５７５）×ＲＸＥ＋３００）／２３０４）×ＮＤＭＡＸ≦５００
なお、上記において、維持放電の回数は、第１電極と第２電極との電圧極性の変化により発生する放電を１回としてカウントするものとする。
【発明の効果】
【００１０】
上述のように、本発明に係るＰＤＰ装置では、放電ガスの全圧に対するＸｅ分圧比ＲＸＥを２０（％）以上に設定しているので、紫外線放射効率が高く、発光効率が高いという優位性を有する。また、本発明に係るＰＤＰ装置では、１ＴＶフィールドにおける維持放電の合計回数を、上記（数１）の関係を満足する値ＮＤＭＡＸを最大値としてパネル部の表示駆動を実行する。即ち、本発明に係るＰＤＰ装置では、フィルタにおける可視光の透過率Ｔに応じて、パネル部から出射の光の最大輝度を規定し、当該輝度を実現するために上記１ＴＶフィールドあたりの維持放電の合計回数の最大が値ＮＤＭＡＸで規定されている。これによって、本発明に係るＰＤＰ装置では、フィルタを透してユーザに対し出射される光（映像）の最大輝度を５００（ｃｄ／ｍ２）以下となるようにしている。
【００１１】
上記において、５００（ｃｄ／ｍ２）という輝度値は、現状のＮＴＳＣのＣＲＴ並みの明るさであり、ユーザの眼の疲労等の観点からより望ましい輝度値として実績のある数値と考えられている。このため、本発明に係るＰＤＰ装置では、画面を見ているユーザにとって眼の疲労を感じ難く、例えば、ユーザが小児の場合にあっても、光過敏性てんかん発作などの問題を引き起こすことがない。上記１ＴＶフィールドあたりの維持放電の合計回数の最大値は、例えば、フィルタの可視光透過率Ｔを４０（％）、Ｘｅ分圧比ＲＸＥを２０（％）、放電ガスの全圧ＰＡＬを５９．９（ｋＰａ）とする場合、１ＴＶフィールドにおける維持放電の合計回数の最大値ＮＤＭＡＸは、上記（数１）より、ＮＤＭＡＸ≦１４９９回となる。
【００１２】
従って、本発明に係るＰＤＰ装置では、高い発光効率を維持しながら、ユーザの眼の負担の軽減が可能である。
上記本発明に係るＰＤＰ装置では、輝度が最大となる映像信号の入力を受けたときのパネルの駆動において、１ＴＶフィールドにおける維持放電の合計回数の下限を５１２回とすることが望ましい。このように１ＴＶフィールドにおける維持放電の合計回数の下限値を規定することで、本発明に係るＰＤＰ装置は、実質的に階調表現が大きく犠牲となることを避けられる。そして、本発明に係るＰＤＰ装置では、表示駆動部が、時間・空間軸上で誤差拡散処理およびディザ処理の少なくとも一方の処理を実行することで階調補正することが望ましい。
【００１３】
上記処理方法を採用するＰＤＰ装置では、表示駆動部が実行するパネル部の駆動において、１ＴＶフィールドあたりの維持放電の合計回数の最大を値ＮＤＭＡＸとし、その最大値ＮＤＭＡＸを上記（数１）の関係を満足するように設定しているので、ユーザの眼の疲労軽減などを図りながらも、より一層良好な階調表現が可能となる。
また、上記本発明に係るＰＤＰ装置では、Ｘｅが放電ガス中で最も大きな比率を占めて含まれていることが望ましい。即ち、本発明に係るＰＤＰ装置では、Ｘｅが放電ガス中での主たる成分として存在し、例えば、２元系では５０（％）よりも大きい比率で含まれており、３元系では３３．３（％）よりも大きい比率で含まれていることが望ましい。このように規定することによって、本発明に係るＰＤＰ装置では、より一層高い発光効率を実現することが可能となる。
【００１４】
また、本発明に係るＰＤＰ装置では、放電ガスの全圧ＰＡＬを１３．３（ｋＰａ）以上３９．９（ｋＰａ）以下の範囲に設定することが望ましい。これは、上記範囲に放電ガスの全圧を設定することにより、Ｘｅ分圧比を上述のように２０％以上に高めても、放電開始電圧が高くなりすぎるようなことが抑制され、ＰＤＰ装置の駆動において望ましいためである。
【００１５】
さらに、本発明に係るＰＤＰ装置では、可視光の透過率Ｔが２５（％）以上４５（％）以下のフィルタを用いることができる。これによって、本発明に係るＰＤＰ装置では、ユーザの眼への負担の軽減等を図りながらも、極端な装置効率の低下を招くことがない。よって、本発明に係るＰＤＰ装置では、消費電力の増大を招くことが抑制される。
【発明を実施するための最良の形態】
【００１６】
以下では、本発明を実施するための最良の形態について、一例を以って説明する。なお、以下で説明する実施の形態はあくまでも一例であって、本発明はこれに限定されるものではない。
１．ＰＤＰ装置１の全体構成
本実施の形態に係るＰＤＰ装置１の全体構成について、図１および図２を用いて説明する。図１は、ＰＤＰ装置１の構成を示す展開斜視図であり、図２は、そのＡ−Ａ断面図である。
【００１７】
図１に示すように、ＰＤＰ装置１では、シャーシ３０をベースとして、その一方の主面にＰＤＰを構成要素とするパネル部１０が取り付けられ、他方の主面に表示駆動部２０が取り付けれている。そして、パネル部１０および表示駆動部２０が取り付けられたシャーシ３０は、フレーム４０によって支持された状態で、前面カバー５０および背面カバー６０で覆われている。
【００１８】
前面カバー５０は、額縁状の形態を有し、その開口部分に光学フィルタ７０が取り付けられている。このフィルタ７０は、ＰＤＰ装置１の余分な光が装置の外に出射されないよう、また、明所コントラストを向上させることを目的として設けれているものであり、例えば、可視光透過率Ｔ＝４０（％）のものが用いられている。
図２に示すように、パネル部１０とフィルタ７０とは、対峙する状態に配置されており、パネル部１０から出射した光は、フィルタ７０を透過してユーザである視聴者に到達するようになっている。
【００１９】
なお、図示を省略しているが、前面カバー５０および背面カバー６０には、駆動時において、パネル部１０および表示駆動部２０から発する熱を効率よく外部に排出するための排熱孔や排熱ファンなどが取り付けられている。
２．パネル部１０の構成
ＰＤＰ装置1の構成の内、パネル部１０の構成について、図１を用いて説明する。図１は、パネル部１０の構造を示す要部斜視図（一部断面図）である。
【００２０】
図１に示すように、パネル部１０は、２枚のパネル１１、１２が間に放電空間１３をあけて対向配置された構成を有する。
２−１．前面パネル１１の構成
図３に示すように、パネル部１０を構成する要素の内、前面パネル１１は、前面基板１１１における背面パネル１２と対向する側の面（図３では下面）に、スキャン電極１１３とサスティン電極１１４とからなる表示電極対１１２が、互いに平行に複数配設され、この表示電極対１１２を覆うように、誘電体層１１５および保護層１１６が順に積層形成されている。
【００２１】
前面基板１１１は、例えば、高歪点ガラスあるいはソーダライムガラスから構成されている。また、スキャン電極１１３およびサスティン電極１１４の各々は、錫ドープ酸化インジウム（ＩＴＯ）、酸化スズ（ＳｎＯ２）、酸化亜鉛（ＺｎＯ）などからなる幅広の透明電極部１１３ａ、１１４ａと、電極全体としての電気抵抗を下げるためのクロム（Ｃｒ）−銅（Ｃｕ）−クロム（Ｃｒ）や銀（Ａｇ）などから形成されたバス電極部１１３ｂ、１１４ｂとをそれぞれ積層した状態で構成されている。
【００２２】
また、誘電体層１１５は、鉛系あるいは非鉛系の低融点ガラス材料から形成されている。保護層１１６は、酸化マグネシウム（ＭｇＯ）から構成されている。
なお、前面基板１１１の表面において、隣り合う表示電極対１１２と表示電極対１１２との間には、隣り合う放電セルの光が互いに漏れ出るのを防止するためのブラックストライプが設けられることもある。
【００２３】
２−２．背面パネル１２の構成
背面パネル１２は、背面基板１２１における前面パネル１１と対向する側の面（図３では上面）に、表示電極対１１２と略直交する方向において、データ電極１２２が複数配置されており、このデータ電極１２２を覆うように、誘電体層１２３が形成されている。また、この誘電体層１２３上には、隣り合うデータ電極１２２間に主隔壁１２４ａが立設され、さらに、この主隔壁１２４ａと略直行する方向に補助隔壁１２４ｂが形成されている。本実施の形態に係るパネル部１０では、これら主隔壁１２４ａと補助隔壁１２４ｂとの組み合わせを以って隔壁１２４が構成されている。なお、図面上では詳細に示していないが、ｚ軸方向において、補助隔壁１２４ｂの上端は、主隔壁１２４ａの上端よりも若干低く設定されている。
【００２４】
誘電体層１２３と隣り合う２条の主隔壁１２４ａおよび隣り合う２条の補助隔壁１２４ｂとで囲まれた窪み部分の内壁面には、蛍光体層１２５が設けられている。蛍光体層１２５は、色毎に赤色（Ｒ）蛍光体層１２５Ｒ、緑色（Ｇ）蛍光体層１２５Ｇ、青色（Ｂ）蛍光体層１２５Ｂの各々に分けられ、図３におけるｙ軸方向に主隔壁１２４ａで仕切られた窪み部分毎に色分けされて形成されている。なお、図３のｘ軸方向においては、隣り合う主隔壁１２４ａ間で構成される列毎に同じ色の蛍光体層１２５Ｒ、１２５Ｇ、１２５Ｂが形成されている。
【００２５】
背面パネル１２における背面基板１２１についても、上記前面基板１１１と同様に、高歪点ガラスあるいはソーダライムガラスなどから構成されている。データ電極１２２は、上記スキャン電極１１３やサスティン電極１１４などのバス電極部１１３ｂ、１１４ｂと同様に、例えば、Ａｇなどの金属材料から形成されている。なお、データ電極１２２の形成材料としては、Ａｇの他に、金（Ａｕ）、クロム（Ｃｒ）、銅（Ｃｕ）、ニッケル（Ｎｉ）、白金（Ｐｔ）等の金属材料や、例えば、これらを積層するなどの方法で組み合わせたものも用いることもできる。
【００２６】
誘電体層１２３は、基本的に前面パネル１１の誘電体層１１５と同じく、鉛系あるいは非鉛系の低融点ガラス材料から形成されているが、酸化アルミニウム（Ａｌ２Ｏ３）や酸化チタン（ＴｉＯ２）が含まれたものでもよい。また、隔壁１２４は、例えば、ガラス材料を用い形成されている。
蛍光体層１２５Ｒ、１２５Ｇ、１２５Ｂの各々は、例えば、次に示すような各色蛍光体を用い形成されている。
【００２７】
Ｒ蛍光体；（Ｙ、Ｇｄ）ＢＯ３：Ｅｕ
Ｇ蛍光体；（Ｙ、Ｇｄ）ＢＯ３：ＴｂとＺｎ２ＳｉＯ４：Ｍｎとの混合物
Ｂ蛍光体；ＢａＭｇ２Ａｌ１４Ｏ２４：Ｅｕ
２−３．前面パネル１１と背面パネル１２との配置
図３に示すように、パネル部１０は、前面パネル１１と背面パネル１２とが、背面パネル１２に形成された隔壁１２４をギャップ材として間に挟み、且つ、表示電極対１１２とデータ電極１２２とが略直交する方向に配され、この状態で各々の外周部どうしが封止されてなる構成を有している。この構成によって、上述のように、前面パネル１１と背面パネル１２との間には、各隔壁１２４によって仕切られた放電空間１３が形成され、両パネル１１、１２が密閉容器を形成することになる。
【００２８】
放電空間１３には、５９．９（ｋＰａ）の範囲の圧力（全圧ＰＡＬ）を以って、放電ガスが充填されている。放電ガスは、キセノン（Ｘｅ）を主たるガス成分とし、これにネオン（Ｎｅ）、ヘリウム（Ｈｅ）、アルゴン（Ａｒ）、クリプトン（Ｋｒ）といったガスや、水素（Ｈ）、酸素（Ｏ）、窒素（Ｎ）といったガスが希釈ガスとして混合された混合ガスである。ＰＤＰ装置１では、放電ガスの全圧に対するＸｅ分圧比ＲＸＥが２０（％）以上に設定されており、高Ｘｅとなっている。
【００２９】
パネル部１０では、表示電極対１１２とデータ電極１２２とが立体交差する各箇所が放電セル（不図示）に対応する。そして、パネル部１０には、複数の放電セルがマトリクス配列された状態となっている。
３．ＰＤＰ装置１におけるパネル部１０と表示駆動部２０との関係
上記パネル部１０に対する表示駆動部２０の関係を、図４を用いて説明する。図４は、ＰＤＰ装置１におけるパネル部１０と表示駆動部２０との接続関係を模式的に示すブロック構成図である。なお、図４では、パネル部１０については電極１１３、１１４、１２２の配列のみを示している。
【００３０】
図４に示すように、本実施の形態に係るＰＤＰ装置１では、上記パネル部１０の各電極１１３、１１４、１２２に対して所要のタイミングおよび波形で電圧を印加する表示駆動部２０が接続されている。パネル部１０には、行方向にｎ本のスキャン電極１１３（１）〜１１３（ｎ）およびｎ本のサスティン電極１１４（１）〜１１４（ｎ）が、交互に配設されている。
【００３１】
また、パネル部１０には、列方向にｍ本のデータ電極１２２（１）〜１２２（ｍ）が配設されている。そして、放電セルは、隣り合う一対のスキャン電極１１３ｋ（ｋ＝１〜ｎ）およびサスティン電極１１４ｋ（ｋ＝１〜ｎ）と１本のデータ電極１２２ｌ（ｌ＝１〜ｍ）との交差部分に対応して設けられ、パネル部１０は、全体として（ｍ×ｎ）個の放電セルを有する。
【００３２】
図４に示すように、表示駆動部２０は、パネル部１０における各電極１１３、１１４、１２２に接続されるデータドライバ２１、スキャンドライバ２２およびサスティンドライバ２３を有する。そして、表示駆動部２０には、各ドライバ２１〜２２の他に、タイミング発生部２４、Ａ／Ｄ変換部２５、操作変換部２６、サブフィールド変換部２７およびＡＰＬ（平均ピクチャレベル）検出部２８を有する。また、図示を省略しているが、表示駆動部２０には、電源回路も有している。
【００３３】
映像信号ＶＤは、Ａ／Ｄ変換部２５に入力され、また、水平同期信号Ｈおよび垂直同期信号Ｖは、タイミング発生部２４、Ａ／Ｄ変換部２５、走査数変換部２６およびサブフィールド変換部２７に対して入力される。
表示駆動部２０のＡ／Ｄ変換部２５は、入力された映像信号ＶＤをデジタル信号の画像データへと変換し、変換後の画像データを走査数変換部２６およびＡＰＬ検出部２８へと出力する。ＡＰＬ検出部２８は、Ａ／Ｄ変換部２５から転送されてくる１画面毎の各放電セルの各階調値を示す表示画面データに基づき、当該１画面の全ての階調値を積算し、これを全放電セルの数で割った値を求める。そして、ＡＰＬ検出部２８は、求めた値から最大階調値（例えば、２５６階調）に対する百分率を算出して平均ピクチャレベル（ＡＰＬ）を求め、その値をタイミング発生部２４へと出力する。ＡＰＬの値が低ければ低いほど黒っぽい画面となり、値が高ければ高いほど白っぽい画面となる。
【００３４】
走査数変換部２６は、Ａ／Ｄ変換部２５から受け付けた画像データをパネル部１０の画素数に応じた画像データへと変換し、サブフィールド変換部２７へと出力する。サブフィールド変換部２７は、サブフィールドメモリ（不図示）を備え、走査数変換部２６から転送されてくる画像データをパネル部１０に階調表示させるための各サブフィールドでの放電セルの点灯／非点灯を示す２値データの集合であるサブフィールドデータに変換し、一旦サブフィールドメモリに格納する。そして、タイミング発生部２４からのタイミング信号に基づきサブフィールドデータをデータドライバ２１へと出力する。
【００３５】
なお、図示を省略しているが、ＰＤＰ装置１の表示駆動部２０においては、サブフィールド変換部２７に、上記サブフィールドメモリなどの他に、誤差拡散処理回路およびディザ処理回路を備えている。これら処理回路については、例えば、特開２００１−５６６６５号公報などに詳しいので、ここでの説明を省略する。
データドライバ２１は、サブフィールド毎の画像データを各データ電極１２２（１）〜１２２（ｍ）に対応する信号に変換し、各データ電極１２２を駆動するものである。データドライバ２１には、公知のドライバＩＣなどが備えられている。
【００３６】
タイミング発生部２４は、水平同期信号Ｈおよび垂直同期信号Ｖに基づいてタイミング信号を生成し、各ドライバ２１〜２３に信号を出力する。ここで、タイミング発生部２４は、ＡＰＬ検出部２８から入力されるＡＰＬ値に基づいて１フィールドを構成するサブフィールドの各々の初期化期間を全セル初期化期間であるか選択初期化期間であるかを決定し、１フィールド内での全セル初期化期間の適用回数を制御する。
【００３７】
スキャンドライバ２２は、タイミング発生部２４から送られてくるタイミング信号に基づいて、スキャン電極１１３（１）〜１１３（ｎ）に駆動電圧を印加する。スキャンドライバ２２についても、上記データドライバ２１と同様に、公知のドライバＩＣを備えて構成されている。
サスティンドライバ２３は、公知のドライバＩＣを備えて構成されており、タイミング発生部２４から送られてくるタイミング信号に基づいて、サスティン電極１１４（１）〜１１４（ｎ）に駆動電圧を印加する。
【００３８】
４．ＰＤＰ装置１の駆動方法
次に、上記構成を有するＰＤＰ装置１の駆動方法について、図５および図６を用いて説明する。図５は、フィールド内時分割階調表示方式（サブフィールド法）を用いてＰＤＰ装置１の駆動を実行する方法を示し、図６は、ＰＤＰ装置１の駆動方法の中でも維持期間Ｔ３を抜き出して示している。
【００３９】
図５に示すように、ＰＤＰ装置１の駆動においては、一例として、２５６階調を表現するために１フィールドを８つのサブフィールドＳＦ１〜ＳＦ８に分割し、それぞれのサブフィールドＳＦ１〜ＳＦ８に初期化期間Ｔ１、書き込み期間Ｔ２、維持期間Ｔ３の３期間を設定する。そして、初期化期間Ｔ１では、スキャン電極１１３（１）〜１１３（ｎ）に対し電圧パルスＰｕｌ．１を印加し、サスティン電極１１４（１）〜１１４（ｎ）に対し電圧パルスＰｕｌ．２を印加する。また、書き込み期間Ｔ２では、スキャン電極１１３（１）〜１１３（ｎ）に対し順に電圧パルスＰｕｌ．３を印加し、データ電極１２２（１）〜１２２（ｍ）の中から選択される電極に対し電圧パルスＰｕｌ．４が印加される。維持期間Ｔ３では、スキャン電極１１３（１）〜１１３（ｎ）に対し電圧パルスＰｕｌ．５が印加され、サスティン電極１１４（１）〜１１４（ｎ）に対し電圧パルスＰｕｌ．６が印加される。
【００４０】
ＰＤＰ装置１の駆動においては、初期化期間Ｔ１において、パネル部１０の全放電セルに対して初期化放電を発生させ、これによって当該サブフレームよりも前のサブフレームにおける放電の有無による影響の除去や放電特性のバラツキを吸収するための初期化が実施される。初期化期間Ｔ１における初期化放電は、図５に示すように、電圧−時間推移が緩やかに傾斜して上下するランプ波形を、スキャン電極１１３（１）〜（ｎ）に印加し、小さな放電電流を定常的に流す。これにより、パネル部１０の全放電セルで、上り傾斜のランプ波形部分と下りランプ波形部分とで各１回づつ弱放電である初期化放電が発生する。
【００４１】
次に、書き込み期間Ｔ２においては、サブフィールドデータに基づいてスキャン電極１１３（１）〜（ｎ）を１ライン毎に順にスキャンして行き、当該サブフィールドで維持放電させたい放電セルに対して、スキャン電極１１３とデータ電極１２２との間で書き込み放電（微小な放電）を発生させる。このようにスキャン電極１１３とデータ電極１２２との間で書き込み放電を生じた放電セルでは、前面パネル１１の保護層１１６の放電空間１３側の表面に壁電荷が蓄えられる。
【００４２】
その後、維持期間Ｔ３においては、スキャン電極１１３（１）〜（ｎ）およびサスティン電極１１４（１）〜（ｎ）の各々に対し、上述のように電圧パルスＰｕｌ．５と電圧パルスＰｕｌ．６とが印加されるのであるが、両電圧パルスＰｕｌ．５、Ｐｕｌ．６は、互いに同一の周期を有し、且つその位相が半周期ずれた状態となっており、パネル部１０における全放電セルに対して同時に印加される。
【００４３】
図６に示すように、維持期間Ｔ３では、先の書き込み期間Ｔ２で壁電荷の蓄積が行われた放電セルにおいて、スキャン電極１１３（１）〜１１３（ｎ）とサスティン電極１１４（１）〜１１４（ｎ）とで極性が反転する度に維持放電が発生し、励起Ｘｅ原子からは１４７（ｎｍ）の共鳴線が、励起Ｘｅ分子からは１７３（ｎｍ）主体の分子線が放射され、次いで発生の紫外線を背面パネル１２における蛍光体層１２４で可視光変換されて画像表示がなされることになる（図３におけるＬＯの方向に光が出射）。即ち、維持期間Ｔ３では、維持パルスＰｕｌ．５、Ｐｕｌ．６の半周期Ｔ３１に１回維持放電が発生することになる。
【００４４】
５．ＰＤＰ装置１の駆動における１ＴＶフィールドあたりの維持放電回数
次に、本実施の形態に係るＰＤＰ装置１で最も特徴となる維持放電回数の設定方法について説明する。
ＰＤＰ装置１では、上述のように、表示駆動部２０におけるサブフィールド変換部２７が、走査数変換部２６から転送されてくる画像データをパネル部１０に階調表示させるための各サブフィールドでの放電セルの点灯／非点灯を示す２値データの集合であるサブフィールドデータに変換するのであるが、輝度が最大となる映像信号ＶＤの入力を受けた際に１ＴＶフィールドあたりの維持放電の合計回数が、最小値を５１２回とし、最大値を値ＮＤＭＡＸとして予め設定されている。
【００４５】
１ＴＶフィールドにおける維持放電の合計回数の上記最大値ＮＤＭＡＸは、上記（数１）の関係を満足するように設定されている。
以下では、この維持放電回数の設定に関する事項について説明する。
輝度が最大となる映像信号ＶＤの入力を受けた際に、１ＴＶフィールドあたりの維持放電の合計回数の最小値ＮＤＭＩＮを５１２回とするのは、表示駆動部２０が誤差拡散処理回路およびディザ処理回路によって階調補正を実行するものの、上記５１２回よりも少ない維持放電回数となった場合には階調表示が犠牲となってしまい、表示性能という観点から許容されないためである。
【００４６】
一方、上記映像信号ＶＤの入力を受けた際の１ＴＶフィールドあたりの維持放電の合計回数の最大値ＮＤＭＡＸを上記（数１）の関係を満足するように設定したのは、フィルタ７０を透してユーザに照射される光の最大輝度を５００（ｃｄ／ｍ２）とするためである。具体的には、上述のように、ＰＤＰ装置１では、可視光透過率Ｔ＝４０（％）のフィルタ７０を備えており、フィルタ７０を透して装置１の外へと出射される光の最大輝度（以下では、「セット輝度」と記載する。）Ｂ１を５００（ｃｄ／ｍ２）以下とするために、パネル部１０からの最大輝度（以下では、「パネル単体輝度」と記載する。）Ｂ１０を次式のように設定することが必要である。なお、セット輝度Ｂ１とパネル単体輝度Ｂ１０との関係については、図７に模式的に示す通りとなる。
【００４７】
[数２]
Ｂ１０＝Ｂ１／Ｔ
上記（数２）より、パネル単体輝度Ｂ１０を１２５０（ｃｄ／ｍ２）にすることが必要である。そして、フィルタ７０の可視光透過率Ｔ（％）と、放電ガスの全圧ＰＡＬ（ｋＰａ）と、Ｘｅ分圧比ＲＸＥ（％）という３つのファクターを用い、上記（数１）の関係を満足する値ＮＤＭＡＸを求めることができる。
【００４８】
ここで、上記（数１）の規定根拠について説明する。
ＰＤＰ装置において、放電ガスの全圧ＰＡＬを変化させたときのＸｅ分圧比ＲＸＥに対する輝度の依存性に関する特性図を図８に示す。なお、図８においては、放電回数を２３０４回に設定している。
また、図９には、図８におけるＸｅ分圧比ＲＸＥに対する輝度変化の傾きを全圧ＰＡＬに対しプロットしている。
【００４９】
上記（数１）は、図８および図９から求められる。
例えば、次の各値について、１ＴＶフィールドにおける維持放電の合計回数の最大値ＮＤＭＡＸを求めてみる。
・フィルタの可視光透過率Ｔ＝４０（％）
・放電ガスの全圧ＰＡＬ＝５９．９（ＫＰａ）
・Ｘｅ分圧比ＲＸＥ＝２０（％）
上記条件を仮定するとき、本実施の形態に係るＰＤＰ装置１では、上記１ＴＶフィールドにおける維持放電の合計回数の最大値ＮＤＭＡＸが１４９９回となる。
【００５０】
一例として、本実施の形態に係るＰＤＰ装置１におけるサブフィールドＳＦ１〜ＳＦ１１ごとの輝度重みと維持放電回数との関係を表１に示す。
【００５１】
【表１】
2007079273.tif 000003
６．ＰＤＰ装置１の有する優位性
以下では、上記構成を有するプラズマディスプレイパネル装置１の有する優位性について説明する。
【００５２】
ＰＤＰ装置１では、放電ガスの全圧に対するＸｅ分圧比ＲＸＥを２０（％）以上に設定しているので、紫外線放射効率が高く、発光効率が高いという優位性を有する。また、ＰＤＰ装置１では、その駆動に際して、１ＴＶフィールドにおける維持放電の合計回数の最大値ＮＤＭＡＸが上記（数１）の関係を満足するように（例えば、上記条件を仮定するときには、１４９９回以下に）規定されている。これによって、フィルタ７０を透してユーザに対し出射される光（映像）の最大輝度を５００（ｃｄ／ｍ２）以下となるようにしている。
【００５３】
従って、ＰＤＰ装置１では、現状のＮＴＳＣのＣＲＴ並みに最大輝度が上記数値に規定された状態でユーザに映像が提供されることになり、画面を見ているユーザにとって眼の疲労を感じ難く、例えば、ユーザが小児の場合にも、光過敏性てんかん発作などの問題を引き起こすことがない。
なお、上記１ＴＶフィールドあたりの維持放電の合計回数の最大値ＮＤＭＡＸは、使用するフィルタの可視光透過率Ｔ、放電ガスの全圧ＰＡＬ、Ｘｅ分圧比ＲＸＥの３つのファクターによって適宜の変更が必要であるが、最終的にセット輝度Ｂ１が５００（ｃｄ／ｍ２）以下となるように設定すればよい。通常のＰＤＰ装置に用いられるフィルタは、可視光透過率Ｔが２５〜４５％程度であり、これに対応して上記パネル単体輝度Ｂ１０を求め、そこから上記維持放電の合計回数の最大値ＮＤＭＡＸを割り出すようにすればよい。
【００５４】
なお、本実施の形態に係るＰＤＰ装置１のパネル部１０では、放電空間１３への放電ガスの充填圧力（全圧）ＰＡＬを一例として５９．９（ｋＰａ）としたが、１３．３（ｋＰａ）〜３９．９（ｋＰａ）の範囲で設定する場合にはより一層の低電圧化を図ることができ、消費電力の低減という観点から望ましい。
７．優位性の確認
以下では、上記実施の形態に係るＰＤＰ装置１が有する優位性の確認結果について説明する。
【００５５】
７−１．維持放電回数と輝度との関係
先ず、次に紹介する実施例に係るサンプル１と比較例に係るサンプル２とを用い、１ＴＶフィールドあたりの維持放電の合計回数と輝度Ｂとの関係について確認した。
（サンプル１）
サンプル１に係るＰＤＰ装置は、上記実施の形態に係るＰＤＰ装置１と基本的に同一の構成を有している。そして、本サンプルに係るＰＤＰ装置のパネル部においては、放電空間に対しＸｅ−Ｎｅの２元系の混合ガスを充填し、その全圧ＰＡＬを５９．９（ｋＰａ）とした。そして、放電ガス中におけるＸｅおよびＮｅの比率は、Ｘｅ分圧比ＲＸＥが２０（％）であり、Ｎｅ分圧比ＲＮＥが８０（％）である。
【００５６】
また、本サンプルに係るＰＤＰ装置では、可視光透過率Ｔが４０（％）のフィルタを用いた。
（サンプル２）
サンプル２に係るＰＤＰ装置は、上記サンプル１に係るＰＤＰ装置に対する比較例とするものであり、その相違点は、Ｘｅ分圧比ＲＸＥが１０（％）であり、Ｎｅ分圧比ＲＮＥが９０（％）であるという点にある。その他の構成については、サンプル１に係るＰＤＰ装置と同一とした。
（確認）
上記サンプル１およびサンプル２のＰＤＰ装置を、図５および図６に示す方法を用い、１ＴＶフィールドあたりの維持放電の合計回数を２３０４回と１４９４回との２条件を以って駆動し、それぞれにおけるパネル単体輝度Ｂ１０を測定した。その結果を表２に示す。
【００５７】
【表２】
2007079273.tif 000004
表２に示すように、比較例としてのサンプル２に係るＰＤＰ装置では、放電回数を２３０４回とした場合にあっても、パネル単体輝度Ｂ１０が１１００（ｃｄ／ｍ２）であり、フィルタの可視光透過率Ｔ＝４０（％）より、セット輝度Ｂ１は、４４０（ｃｄ／ｍ２）である。
【００５８】
一方、サンプル１に係るＰＤＰ装置では、放電回数を１４９４回としたときにはパネル単体輝度Ｂ１０が１２１７（ｃｄ／ｍ２）であり、放電回数を２３０４回としたときにはパネル単体輝度Ｂ１０が１８００（ｃｄ／ｍ２）である。これより、サンプル２に係るＰＤＰ装置では、放電回数を２３０４回としたときのセット輝度Ｂ１が７２０（ｃｄ／ｍ２）となってしまい、ユーザの眼の疲労等の観点から好ましくないことが分かる。
【００５９】
７−２．Ｘｅ分圧比ＲＸＥを変えたときの維持放電回数と輝度との関係
（サンプル３）
サンプル３に係るＰＤＰ装置では、Ｘｅ分圧比ＲＸＥを３０（％）とし、放電ガスの全圧ＰＡＬを３９．９（ｋＰａ）とした。その他の構成については、上記実施の形態に係るＰＤＰ装置１と同じである。
【００６０】
このサンプル３に係るＰＤＰ装置を、１ＴＶフィールドあたりの維持放電の合計回数を２３０４回と１７３６回との２条件を以って駆動し、パネル単体輝度Ｂ１０を測定した。
（サンプル４）
サンプル４に係るＰＤＰ装置は、Ｘｅ分圧比ＲＸＥが５０（％）であり、この点が上記サンプル３に係るＰＤＰ装置と相違する点である。
【００６１】
このサンプル４に係るＰＤＰ装置を、１ＴＶフィールドあたりの維持放電の合計回数を２３０４回と６１４回との２条件を以って駆動し、パネル単体輝度Ｂ１０を測定した。
（サンプル５）
サンプル５に係るＰＤＰ装置は、Ｘｅ分圧比ＲＸＥが１００（％）、即ち、放電ガスとしてＸｅガスのみを充填し（ただし、不純物レベルで水素、酸素、窒素などを微量含む。）、充填圧力ＰＡＬを２９．９（ｋＰａ）とした。他の構成については、上記サンプル３、４と同様である。
【００６２】
このサンプル５に係るＰＤＰ装置を、１ＴＶフィールドあたりの維持放電の合計回数を２３０４回と９２１回との２条件を以って駆動し、パネル単体輝度Ｂ１０を測定した。
（サンプル６）
サンプル６に係るＰＤＰ装置は、上記サンプル３〜５に対する比較例にあたるものであり、その構成は、上記サンプル２に係るＰＤＰ装置と同様である。
【００６３】
サンプル３〜６についてのパネル単体輝度Ｂ１０の測定結果を表３に示す。
【００６４】
【表３】
2007079273.tif 000005
表３に示すように、サンプル３に係るＰＤＰ装置では、放電回数を２３０４回として駆動したときにはパネル単体輝度Ｂ１０が１５０７（ｃｄ／ｍ２）であり、セット輝度Ｂ１が６０２．８（ｃｄ／ｍ２）となってしまう。これに対して、放電回数を１７３６回として駆動した場合には、セット輝度Ｂ１は、４５５．６（ｃｄ／ｍ２）におさまる。
【００６５】
サンプル４に係るＰＤＰ装置では、放電回数を６１４回に規定された状態で駆動することで、セット輝度Ｂ１が４９９．５（ｃｄ／ｍ２）におさまり、サンプル５に係るＰＤＰ装置では、放電回数を９２１回に規定された状態で駆動することで、セット輝度Ｂ１が４８９．６（ｃｄ／ｍ２）におさまる。
７−３．考察
以上の確認結果より、放電ガス中におけるＸｅ分圧比ＲＸＥを２０（％）以上として発光効率を向上させながら、セット輝度Ｂ１を５００（ｃｄ／ｍ２）としてユーザの眼の疲労を起させないようにするには、上記数式１の関係を満足するように、１ＴＶフィールドあたりの維持放電の合計回数の最大値ＮＤＭＡＸを規定すればよいことが分かる。
【００６６】
なお、維持放電の合計回数を上述のように規定しても、ＰＤＰ装置の階調表現を維持するために、上記実施の形態に係るＰＤＰ装置１のように誤差拡散処理やディザ処理などを採用することが望ましい。
（その他の事項）
上記実施の形態では、本発明の特徴を分かり易く説明するために、ＰＤＰ装置１を一例として用いたが、本発明は、その本質的特徴部分以外について、何らこれらに限定を受けるものではない。例えば、図３に示すパネル部１０の構成では、井桁状の隔壁１２４を採用することとしたが、ストライプ状の隔壁やミアンダ構造の隔壁などを採用することも可能である。また、パネル部１０の構成のために用いる材料についても、適宜の変更が可能である。
【００６７】
また、上記実施の形態１に係るＰＤＰ装置１の駆動においては、図５および図６に示す波形の電圧パルスを各電極１１３、１１４、１２２の各々に印加することとしたが、これについても適宜の変更が可能である。例えば、維持期間Ｔ３において、データ電極１２２に対しても細線の電圧パルスを印加することとしてもよいし、初期化期間Ｔ１において、データ電極１２２に対して電圧パルスを印加することとしてもよい。
【産業上の利用可能性】
【００６８】
本発明は、高い発光効率を維持しながら、ユーザの眼などへの負担の軽減を図ることが可能な、テレビジョン装置などに適用することが可能である。
【図面の簡単な説明】
【００６９】
【図１】実施の形態に係るＰＤＰ装置１の構造を示す展開斜視図である。
【図２】ＰＤＰ装置１の断面構造を示す断面図である。
【図３】ＰＤＰ装置１におけるパネル部１０の構成を示す要部斜視図である。
【図４】ＰＤＰ装置１におけるパネル部１０および表示駆動部２０の構成を示すブロック図である。
【図５】ＰＤＰ装置１の駆動において、各電極１１３、１１４、１２２の各々に印加される電圧波形を示す波形図である。
【図６】ＰＤＰ装置１の駆動において、維持期間Ｔ３に各電極１１３、１１４、１２２に印加される電圧波形を示す詳細波形図である。
【図７】ＰＤＰ装置１において、パネル単体輝度Ｂ１０とセット輝度Ｂ１との関係を模式的に示す模式図である。
【図８】全圧ＰＡＬを変化させたときのＸｅ分圧比ＲＸＥに対する輝度の依存性を示す特性図である。
【図９】図８におけるＸｅ分圧比ＲＸＥに対する輝度変化の傾きを全圧に対してプロットした特性図である。
【符号の説明】
【００７０】
１．ＰＤＰ装置
１０．パネル部
１１．前面パネル
１２．背面パネル
１３．放電空間
２０．表示駆動部
２１．データドライバ
２２．スキャンドライバ
２３．サスティンドライバ
２４．タイミング発生部
２５．Ａ／Ｄ変換部
２６．走査数変換部
２７．サブフィールド変換部
２８．ＡＰＬ検出部
３０．シャーシ
４０．フレーム
５０．前面カバー
６０．背面カバー
７０．フィルタ
１１１．前面基板
１１２．表示電極対
１１３．スキャン電極
１１４．サスティン電極
１１５．誘電体層
１１６．保護層
１２１．背面基板
１２２．データ電極
１２３．誘電体層
１２４．隔壁
１２５．蛍光体層
【図１】
2007079273.tif 000006
【図２】
2007079273.tif 000007
【図３】
2007079273.tif 000008
【図４】
2007079273.tif 000009
【図５】
2007079273.tif 000010
【図６】
2007079273.tif 000011
【図７】
2007079273.tif 000012
【図８】
2007079273.tif 000013
【図９】
2007079273.tif 000014